(57)【要約】  医療用装置の遠位端アセンブリであって、この遠位端アセンブリは、フレキシブル基板と、導電体と、を含む。フレキシブル基板は、挿入管の遠位端に連結されるように構成されている。導電体は、フレキシブル基板上に配設され、（ｉ）１つ以上の電極であって、医療用装置の近位端と電気信号を交換するように構成されている、１つ以上の電極と、（ｉｉ）少なくとも１つのレジスタを形成するように成形された１つ以上のプリントフィルタであって、電極のうちの少なくとも１つに隣接して配設され、電極のうちの少なくとも１つと近位端との間で交換される電気信号から、所定の周波数範囲内の信号をフィルタ処理するように構成されている、１つ以上のプリントフィルタと、を形成するように成形されている。
2021500962.tif 000002
【特許請求の範囲】
【請求項１】
医療用装置の遠位端アセンブリであって、
フレキシブル基板であって、挿入管の遠位端に連結されるように構成されている、フレキシブル基板と、
導電体であって、前記フレキシブル基板上に配設され、
（ｉ）１つ以上の電極であって、前記医療用装置の近位端と電気信号を交換するように構成されている、１つ以上の電極と、
（ｉｉ）少なくとも１つのレジスタを形成するように成形された１つ以上のプリントフィルタであって、前記電極のうちの少なくとも１つに隣接して配設され、前記電極のうちの前記少なくとも１つと前記近位端との間で交換される前記電気信号から、所定の周波数範囲内の信号をフィルタ処理するように構成されている、１つ以上のプリントフィルタと、
を形成するように成形されている、導電体と、を備える、遠位端アセンブリ。
【請求項２】
前記所定の周波数範囲は、無線周波数（ＲＦ）の周波数範囲の少なくとも一部を含む、請求項１に記載の遠位端アセンブリ。
【請求項３】
前記所定の周波数範囲内でフィルタ処理された前記信号は、磁気共鳴映像法（ＭＲＩ）システムによって発せられる、請求項１に記載の遠位端アセンブリ。
【請求項４】
前記フレキシブル基板は、フレキシブルプリント回路基板（ＰＣＢ）を含む、請求項１に記載の遠位端アセンブリ。
【請求項５】
前記フレキシブル基板は、前記挿入管の前記遠位端を包み込むように構成されている、請求項１に記載の遠位端アセンブリ。
【請求項６】
前記プリントフィルタのうちの１つ以上は、前記電極のうちの少なくとも１つに連結されている、請求項１に記載の遠位端アセンブリ。
【請求項７】
前記プリントフィルタのうちの少なくとも１つは、患者の組織から、前記電極のうちの少なくとも１つにより感知された電気信号を通過させるように構成されている、請求項１に記載の遠位端アセンブリ。
【請求項８】
前記プリントフィルタのうちの少なくとも１つは、患者の組織に印加されるアブレーション信号を通過させるように構成されている、請求項１に記載の遠位端アセンブリ。
【請求項９】
前記所定の周波数範囲は、５８ＭＨｚ〜７０ＭＨｚを含む、請求項１に記載の遠位端アセンブリ。
【請求項１０】
前記１つ以上のプリントフィルタは、ニッケル及びクロムを含む合金、銅及びニッケルを含む合金、並びにチタンからなるリストから選択される１つ以上の材料で作製されている、請求項１に記載の遠位端アセンブリ。
【請求項１１】
前記プリントフィルタのうちの少なくとも１つは、前記医療用装置内での加熱、前記医療用装置を使用して取得された画像中のアーチファクト、及びフィルタ処理された前記信号の、前記電極のうちの前記少なくとも１つと前記近位端との間で交換される前記電気信号との干渉、のうちの１つ以上を低減するように構成されている、請求項１に記載の遠位端アセンブリ。
【請求項１２】
医療用装置の遠位端アセンブリを製造する方法であって、
前記医療用装置の近位端と電気信号を交換するための１つ以上の電極を形成するように成形された第１の導電体を、フレキシブル基板上に配設することと、
前記電極のうちの少なくとも１つと前記近位端との間で交換される前記電気信号から、所定の周波数範囲内の信号をフィルタ処理するように設計された少なくとも１つのレジスタを備える１つ以上のプリントフィルタを形成するように成形された１つ以上の第２の導電体を、前記電極のうちの前記少なくとも１つに隣接して配設することと、
前記フレキシブル基板を、挿入管の遠位端に連結することと、を含む、方法。
【請求項１３】
前記所定の周波数範囲は、無線周波数（ＲＦ）の周波数範囲の少なくとも一部を含む、請求項１２に記載の方法。
【請求項１４】
前記所定の周波数範囲内でフィルタ処理された前記信号は、磁気共鳴映像法（ＭＲＩ）システムによって発せられる、請求項１２に記載の方法。
【請求項１５】
前記フレキシブル基板上に配設することは、フレキシブルプリント回路基板（ＰＣＢ）上に配設することを含む、請求項１２に記載の方法。
【請求項１６】
前記フレキシブル基板を連結することは、前記フレキシブル基板で前記挿入管の前記遠位端を包み込むことを含む、請求項１２に記載の方法。
【請求項１７】
前記１つ以上の第２の電気トレースを配設することは、前記プリントフィルタのうちの１つ以上を、前記電極のうちの少なくとも１つに連結することを含む、請求項１２に記載の方法。
【請求項１８】
前記プリントフィルタのうちの少なくとも１つは、患者の組織から、前記電極のうちの少なくとも１つにより感知された電気信号を通過させる応答を有する、請求項１２に記載の方法。
【請求項１９】
前記所定の周波数範囲は、５８ＭＨｚ〜７０ＭＨｚを含む、請求項１２に記載の方法。
【請求項２０】
前記第２の導電体を配設することは、前記医療用装置内での加熱、前記医療用装置を使用して取得された画像中のアーチファクト、及びフィルタ処理された前記信号の、前記電極のうちの前記少なくとも１つと前記近位端との間で交換される前記電気信号との干渉、のうちの１つ以上を低減することを含む、請求項１２に記載の方法。
【発明の詳細な説明】
【技術分野】
【０００１】
（関連出願の相互参照）
本出願は、２０１７年１０月２５日出願の米国特許出願第１５／７９３，１２６号、発明の名称「Ｉｎｔｅｇｒａｔｅｄ  ＬＣ  Ｆｉｌｔｅｒｓ  Ｉｎ  Ｃａｔｈｅｔｅｒ  Ｄｉｓｔａｌ  Ｅｎｄ」に関連するものであり、この開示内容は参照により本明細書に組み込まれる。
【０００２】
（発明の分野）
本発明は、全般に、医療用装置に関し、特に、干渉をキャンセルするためにカテーテル遠位端に一体化されたフィルタに関する。
【背景技術】
【０００３】
種々の医療処置において、医療用ツールは患者の体内に挿入され、磁気共鳴映像法（ＭＲＩ）システムなどの解剖学的映像法システムを使用して同時に走査される。医療用ツールは、処置を実施するために使用される電極を備えてもよい。ＭＲＩ環境において動作可能なカテーテル電極を製造するための種々の技術が当該技術分野において知られている。
【０００４】
例えば、米国特許出願公開第２０１５／０３６６５０８号は、体腔に挿入されるように構成されているフレックスＰＣＢカテーテル装置について記載している。このフレックスＰＣＢカテーテルは、細長シャフト、拡張可能なアセンブリ、フレキシブルプリント回路基板（フレックスＰＣＢ）の基板、複数の電子的構成要素、及び複数の通信経路を備えている。
【０００５】
米国特許出願公開第２０１４／００２４９０９号は、対向する遠位端部と近位端部とを有するシャフトを含む、ＭＲＩに適合したカテーテルについて記載している。１つ以上のＲＦトラッキングコイルは、遠位端部に隣接して位置決めされ、各々が、ＲＦトラッキングコイルをＭＲＩスキャナに電気的に接続する導電性リードを含む。カテーテルは、シャフトの遠位端部に１つ以上の感知電極を含み、各々が、高インピーダンスを有するレジスタに電気的に接続される。
【発明の概要】
【課題を解決するための手段】
【０００６】
本明細書に記載される本発明の一実施形態は、医療用装置の遠位端アセンブリを提供するものであり、この遠位端アセンブリは、フレキシブル基板と、導電体と、を含む。フレキシブル基板は、挿入管の遠位端に連結されるように構成されている。導電体は、フレキシブル基板上に配設され、（ｉ）１つ以上の電極であって、医療用装置の近位端と電気信号を交換するように構成されている、１つ以上の電極と、（ｉｉ）少なくとも１つのレジスタを形成するように成形された１つ以上のプリントフィルタであって、電極のうちの少なくとも１つに隣接して配設され、電極のうちの少なくとも１つと近位端との間で交換される電気信号から、所定の周波数範囲内の信号をフィルタ処理するように構成されている、１つ以上のプリントフィルタと、を形成するように成形されている。
【０００７】
いくつかの実施形態において、所定の周波数範囲は、無線周波数（ＲＦ）の周波数範囲の少なくとも一部を含む。他の実施形態において、所定の周波数範囲内でフィルタ処理された信号は、磁気共鳴映像法（ＭＲＩ）システムによって発せられる。更に他の実施形態において、フレキシブル基板は、フレキシブルプリント回路基板（ＰＣＢ）を含む。
【０００８】
一実施形態において、フレキシブル基板は、挿入管の遠位端を包み込むように構成されている。別の実施形態において、プリントフィルタのうちの１つ以上が、電極のうちの少なくとも１つに連結されている。更に別の実施形態において、プリントフィルタのうちの少なくとも１つは、患者の組織から、電極のうちの少なくとも１つにより感知された電気信号を通過させるように構成されている。
【０００９】
いくつかの実施形態において、プリントフィルタのうちの少なくとも１つは、患者の組織に印加されるアブレーション信号を通過させるように構成されている。他の実施形態において、所定の周波数範囲は、５８ＭＨｚ〜７０ＭＨｚを含む。
【００１０】
一実施形態において、１つ以上のプリントフィルタは、ニッケル及びクロムを含む合金、銅及びニッケルを含む合金、並びにチタンからなるリストから選択される１つ以上の材料で作製されている。別の実施形態において、プリントフィルタのうちの少なくとも１つは、医療用装置内での加熱、医療用装置を使用して取得された画像中のアーチファクト、及びフィルタ処理された信号の、電極のうちの少なくとも１つと近位端との間で交換される電気信号との干渉、のうちの１つ以上を低減するように構成されている。
【００１１】
本発明の一実施形態によると、医療用装置の遠位端アセンブリを製造する方法であって、医療用装置の近位端と電気信号を交換するための１つ以上の電極を形成するように成形された第１の導電体を、フレキシブル基板上に配設することを含む、方法が更に提供される。
【００１２】
１つ以上の第２の導電体が、電極のうちの少なくとも１つに隣接して配設される。第２の導電体は、電極のうちの少なくとも１つと近位端との間で交換される電気信号から、所定の周波数範囲内の信号をフィルタ処理するように設計された少なくとも１つのレジスタを備える１つ以上のプリントフィルタを形成するように成形されている。フレキシブル基板は、挿入管の遠位端に連結されている。
【００１３】
本発明の一実施形態によると、医療用装置の遠位端アセンブリであって、フレキシブル基板と、導電体と、を含む、遠位端アセンブリが更に提供される。フレキシブル基板は、挿入管の遠位端に連結されるように構成されている。導電体は、フレキシブル基板上に配設され、（ｉ）１つ以上の電極であって、医療用装置の近位端と電気信号を交換するように構成されている、１つ以上の電極と、（ｉｉ）１つ以上のプリントフィルタであって、電極のうちの少なくとも１つに隣接して配設され、電極のうちの少なくとも１つと近位端との間で交換される電気信号から、所定の周波数範囲内の信号をフィルタ処理するように構成されている、１つ以上のプリントフィルタと、を形成するように成形されている。
【００１４】
いくつかの実施形態において、プリントフィルタのうちの少なくとも１つは、インダクタ及びコンデンサとのうちの少なくとも一方を形成するように成形されている。他の実施形態において、インダクタとコンデンサとが、並列に接続されている。更に他の実施形態において、所定の周波数範囲は、無線周波数（ＲＦ）の周波数範囲の少なくとも一部を含む。
【００１５】
一実施形態において、所定の周波数範囲内でフィルタ処理された信号は、磁気共鳴映像法（ＭＲＩ）システムによって発せられる。別の実施形態において、フレキシブル基板は、フレキシブルプリント回路基板（ＰＣＢ）を含む。更に別の実施形態において、フレキシブル基板は、挿入管の遠位端を包み込むように構成されている。
【００１６】
いくつかの実施形態において、プリントフィルタのうちの１つ以上は、電極のうちの少なくとも１つに連結されている。他の実施形態において、プリントフィルタのうちの少なくとも１つは、患者の組織に印加されるアブレーション信号を通過させるように構成されている。
【００１７】
一実施形態において、所定の周波数範囲は、５８ＭＨｚ〜７０ＭＨｚを含む。別の実施形態において、プリントフィルタのうちの少なくとも１つは、医療用装置内での加熱、医療用装置を使用して取得された画像中のアーチファクト、及びフィルタ処理された信号の、電極のうちの少なくとも１つと近位端との間で交換される電気信号との干渉、のうちの１つ以上を低減するように構成されている。
【００１８】
本発明の一実施形態によると、医療用装置の遠位端アセンブリを製造する方法であって、医療用装置の近位端と電気信号を交換するための１つ以上の電極を形成するように成形された第１の導電体を、フレキシブル基板上に配設することを含む、方法が更に提供される。１つ以上の第２の導電体が、電極のうちの少なくとも１つに隣接して配設される。第２の導電体は、電極のうちの少なくとも１つと近位端との間で交換される電気信号から、所定の周波数範囲内の信号をフィルタ処理するように設計された１つ以上のプリントフィルタを形成するように成形されている。フレキシブル基板は、挿入管の遠位端に連結されている。
【００１９】
本発明は、以下の「発明を実施するための形態」を図面と併せて考慮することで、より完全に理解されよう。
【図面の簡単な説明】
【００２０】
【図１】本発明の一実施形態による、カテーテル法システムの概略描写図である。
【図２】本発明の一実施形態による、電極及びフィルタのプリントされたフレキシブル基板の概略描写図である。
【図３】本発明の実施形態による、それぞれのフレキシブル基板に形成されたフィルタの概略描写図である。
【図４】本発明の実施形態による、それぞれのフレキシブル基板に形成されたフィルタの概略描写図である。
【図５】本発明の一実施形態による、カテーテルの遠位端アセンブリの概略展開描写図である。
【図６】本発明の一実施形態による、フレキシブル基板に一体化された電極及びフィルタを備えるカテーテルを製造する方法を模式的に示すフローチャートである。
【発明を実施するための形態】
【００２１】
概要
いくつかの医療処置は、例えば、磁気共鳴映像法（ＭＲＩ）システムを使用して実施されるリアルタイム解剖学的映像法を含む。この映像法と同時に使用され得る医療用装置は、例えば、患者の組織に又はその組織から電気信号を伝導するために使用される電極を有するカテーテルを含み得る。
【００２２】
ＭＲＩシステムは、パルス化無線周波数（ＲＦ）場を印加し、組織中の磁場の配向を変化させ、結果として、アンテナ（受信機コイル）において特定周波数での信号を誘導する。組織の磁化からの応答を引き出すために必要な周波数は、外部から印加される磁場の磁場強度に依存する。例えば、１．５テスラの磁場において、ＲＦ周波数は、約６４ＭＨｚである。考慮されない限り、ＭＲＩシステムのＲＦ場は、カテーテルの配線及び／又は電極に望ましくないＲＦ信号を誘発することがあるため、カテーテルの望ましい信号を歪ませ、ＭＲＩスキャンにおける画像アーチファクト、及びカテーテルに沿った望ましくない加熱を生じる。
【００２３】
以下に記載される本発明の実施形態は、ＭＲＩ環境において動作するように適合されたカテーテルを提供する。具体的には、このカテーテルは、ＭＲＩシステムによって生じるＲＦ干渉をキャンセルするためのフィルタを備え、この干渉は、電極の電気信号と干渉する場合がある。一体型のフィルタを備えたカテーテルを製造する方法についても、以下に示す。
【００２４】
いくつかの実施形態において、カテーテルは、挿入管の遠位端に連結されたフレキシブルプリント回路基板（ＰＣＢ）シートなどのフレキシブル基板で作製された遠位端アセンブリを備えてもよい。
【００２５】
いくつかの実施形態において、電気トレースは、電極と、ＭＲＩシステムの動きに起因して電極に生じる干渉をキャンセルするように設計されたフィルタと、を形成するのに好適なパターンで、ＰＣＢシート上に配設される。
【００２６】
電極は、カテーテルの遠位端と電気信号を交換するように構成され、フィルタは、電極に隣接して形成され、交換された電気信号と干渉するＲＦ信号をフィルタ除去するように構成される。
【００２７】
いくつかの実施形態において、電極は、患者の心臓からの電気信号を感知するように構成され、この場合、フィルタは、レジスタを備える。他の実施形態において、電極は、患者の心臓の組織にアブレーション信号を印加するように構成されており、フィルタは、ＬＣ回路構成において、並列に相互接続されたインダクタＬとコンデンサＣとを備える。
【００２８】
いくつかの実施形態において、電極及びフィルタは、超大規模集積（ＶＬＳＩ）プロセスを使用して製造される。一実施形態において、電気トレースは、例えば、１つ以上の物理気相成長法（ＰＶＤ）プロセスを使用して、ＰＣＢシートの外面上に１つ以上の導電層を堆積させることにより形成される。
【００２９】
一実施形態において、堆積された導電層は、リソグラフィ及びエッチングなどの好適なパターン化プロセスを使用して、電極及びフィルタを形成するように成形される。続いて、遠位端アセンブリは、ＰＣＢシートで挿入管を包み込むことにより製造される。
【００３０】
開示される技術は、医療用カテーテルの機能を向上させ、ＭＲＩなどの高度な映像法手順と同時に、電気生理学（ＥＰ）マッピング及び組織アブレーションなどの複雑な救命処置を実施するのに役立つ。
【００３１】
開示される技術により、例えば、ＶＬＳＩプロセスを使用して、ＰＣＢシート上に好適な回路を形成することにより、カテーテルの遠位端に一体化されたフィルタの特性をカスタマイズできるようにする。例えば、フィルタは、第１の周波数範囲をフィルタ除去するために、単一のレジスタを備えてもよく、一方で、フィルタは、第２の周波数範囲をフィルタ除去するために、並列ＬＣ回路を備えてもよい。
【００３２】
システムの説明
図１は、本発明の一実施形態による、カテーテル法システム２０の概略描写図である。システム２０は、プローブ、本実施例においては心カテーテル２２及び制御コンソール２４などの医療用装置を備える。本明細書に記載される実施形態において、カテーテル２２は、組織のアブレーション又は患者２８の心臓（図示せず）からの電気生理学（ＥＰ）信号の感知など、任意の好適な治療目的及び／又は診断目的のために使用されてもよい。
【００３３】
いくつかの実施形態において、システム２０は、磁気共鳴映像法（ＭＲＩ）システム３８を備え、これは、患者の組織の解剖学的画像を生成するように構成される。いくつかの実施形態において、ＭＲＩシステム３８は、磁場傾斜コイルを含む、磁場コイル（図示せず）を備え、これらはともに、空間的に異なる磁場を生成する。
【００３４】
空間的に異なる磁場は、システム内で生成される無線周波数（ＲＦ）信号の空間位置確認を提供する。いくつかの実施形態において、ＭＲＩシステム３８は、約６４メガヘルツ（ＭＨｚ）、又はＲＦ周波数の他の任意の好適な範囲の周波数でＲＦ信号を生成する。
【００３５】
更に、ＭＲＩシステム３８は、送信コイル及び受信コイル（図示せず）を備える。送信モードにおいて、送信コイルは、患者２８にＲＦパルス化エネルギーを放射し、エネルギーのＲＦパルスが患者の組織の核スピンと相互作用することにより、原子核の磁気モーメントをそれらの平衡位置から離れて再整列させる。受信モードにおいて、受信コイルは、組織の原子核がそれらの平衡状態に弛緩する際に患者の組織から受信されるＲＦ信号を検出する。
【００３６】
いくつかの実施形態において、コンソール２４は、ＭＲＩシステム３８及びカテーテル２２から信号を受信し、かつシステム２０の他の構成要素を制御するために、好適なフロントエンド及びインターフェース回路を備えた、典型的には汎用コンピュータである、プロセッサ３４を備える。
【００３７】
いくつかの実施形態において、コンソール２４は、メモリ５０と、患者２８の心臓の少なくとも一部の画像４４など、データを表示するように構成されているディスプレイ４６と、を更に備える。いくつかの実施形態において、画像４４は、ＭＲＩシステム３８を使用するか、又は他の任意の好適な解剖学的映像法システムを使用して、取得されてもよい。
【００３８】
医師３０（介入放射線医など）は、テーブル２９上に横たわった患者２８の脈管系を通じてカテーテル２２を挿入する。カテーテル２２は、挿入図２６内に示されており、以下の図２及び図５に詳細に示される遠位端アセンブリ４０を備える。医師３０は、カテーテル２２の近位端付近のマニピュレータ３２によってカテーテル２２を操作することにより、心臓内の標的位置の近傍でアセンブリ４０を移動させる。カテーテル２２の近位端は、プロセッサ３４のインターフェース回路に接続されている。
【００３９】
いくつかの実施形態において、心臓腔内の遠位端アセンブリ４０の位置は、典型的には、位置検知技術を使用して測定される。この位置検出方法は、例えば、Ｂｉｏｓｅｎｓｅ  Ｗｅｂｓｔｅｒ  Ｉｎｃ．（Ｉｒｖｉｎｅ，Ｃａｌｉｆ．）が製造するＣＡＲＴＯ（商標）システムにおいて実現されており、米国特許第５，３９１，１９９号、同第６，６９０，９６３号、同第６，４８４，１１８号、同第６，２３９，７２４号、同第６，６１８，６１２号及び同第６，３３２，０８９号、国際公開第９６／０５７６８号、並びに米国特許出願公開第２００２／００６５４５５（Ａ１）号、同第２００３／０１２０１５０（Ａ１）号及び同第２００４／００６８１７８（Ａ１）号に詳細に記載されており、これらの開示は全て、参照により本明細書中に組み込まれる。
【００４０】
いくつかの実施形態において、コンソール２４は、駆動回路４２を備え、この駆動回路４２は、テーブル２９に横たわった患者２８の体外における既知の位置、例えば患者の胴体の下に位置する、磁場発生装置３６を駆動する。
【００４１】
ここで、挿入図２６を参照する。いくつかの実施形態において、遠位端アセンブリ４０は、以下の図５に詳細に示される内部部材６９を包み込むフレキシブルプリント回路基板（ＰＣＢ）シート６０を備える。内部部材は、本明細書において挿入管とも称される。
【００４２】
いくつかの実施形態において、アセンブリ４０は、ドームカバー６６を更に備え、このドームカバー６６は、フレキシブルＰＣＢで製造され、任意の好適な連結技法を使用して、リング形のドーム支持体（以下の図５に示す）を包み込むように構成されている。
【００４３】
いくつかの実施形態において、ＰＣＢシート６０及び／又はドームカバー６６は、１つ以上の灌注孔６４を形成するように穿孔されてもよく、この灌注孔６４は、例えば、アブレーション処置中、心臓の組織に灌注を行うときに、灌注流体を挿入管から流出させるように構成されている。
【００４４】
いくつかの実施形態において、アセンブリ４０は、１つ以上の微小電極６２と、リング電極８０と、を更に備え、これらは、カテーテル２２の近位端と電気信号を交換し、心臓の組織に又はその組織から電気信号を伝導するように構成されている。心臓ＥＰマッピング又は組織アブレーションなどの医療処置中、微小電極６２及びリング電極８０は、心臓の組織と接触させられて、それから生じる電気信号を感知するか、又は、後述のとおり、組織のアブレーションを行うためのアブレーション信号を印加するようにする。
【００４５】
本開示及び本請求書の文脈において、「電極」及び「微小電極」という用語は、それぞれ、互換的に使用され、心臓からの電気信号を感知するか、又は心臓の組織のアブレーションを行うように構成された、感知電極又はアブレーション電極を指す。
【００４６】
いくつかの実施形態において、リング電極８０は、心電図（ＥＣＧ）信号、又は患者２８の心臓からの他の任意の種類の信号を感知するために使用されてもよい。なお、以下の説明は、主として微小電極６２について言及するものであるが、リング電極８０にも適用可能であることに留意されたい。
【００４７】
いくつかの実施形態において、微小電極６２は、（例えば、金又は他の任意の好適な材料で作製された）導電層によってコーティングされており、所定の周波数範囲において、心臓の組織に／その組織から電気信号を転送ように構成されている。
【００４８】
いくつかの実施形態において、アセンブリ４０は、心臓の組織のアブレーションを行うために使用されてもよい。いくつかの実施形態において、微小電極６２は、アブレーション中、所与の周波数範囲において電気信号を組織に転送するように構成されている。
【００４９】
いくつかの実施形態において、微小電極６２の導電層は、典型的には、ＰＣＢシート６０の外面上に堆積される。他の実施形態において、導電層は、ＰＣＢシート６０上に加え、又は、ＰＣＢシート６０上の代わりに、ドームカバー６６上に堆積されてもよい。
【００５０】
上述のとおり、ＭＲＩシステム３８は、微小電極６２とカテーテル２２の近位端との間で交換される電気信号と干渉し、（例えば、画像４４中に）画像アーチファクト、及びカテーテルに沿った望ましくない加熱を生じ得る、例えば、６４ＭＨｚの所定の周波数で、ＲＦ信号を生成する。
【００５１】
いくつかの実施形態において、１つ以上のフィルタ（以下の図２〜図４に示す）が、微小電極６２のうちの少なくとも１つと隣接して、ＰＣＢシート６０上に配設（例えば、プリント）される。典型的には、各電極は、１つ以上の各フィルタに関連付けられる。
【００５２】
一実施形態において、フィルタは、それぞれの微小電極と近位端との間で交換される電気信号との干渉から、所定の周波数範囲をフィルタ処理するように構成される。いくつかの実施形態において、この周波数範囲は、１．５テスラの磁場強度を有するＭＲＩシステム３８によって生成された、約６４ＭＨｚの周波数を含んでもよい。遠位端アセンブリ４０を製造するための例示の方法、及びフィルタに関する更なる詳細について、以下の図２〜図６に詳しく示す。
【００５３】
いくつかの実施形態において、フィルタ、及び１つ以上の熱電対（図示せず）などのカテーテルの他の構成要素は、ＰＣＢシート６０の導電層間に製造されてもよく、又はＰＣＢシート６０の外面上に設置されてもよい。熱電対は、アブレーション中の組織温度をモニタリングするために使用することができる。
【００５４】
いくつかの実施形態において、プロセッサ３４は、典型的には、汎用プロセッサを備え、その汎用プロセッサは、本明細書に記載される機能を実行するようにソフトウェアでプログラムされる。ソフトウェアは、例えば、ネットワーク上で、コンピュータに電子形態でダウンロードすることができるか、又は、代替的又は追加的に、磁気メモリ、光学メモリ若しくは電子メモリなどの、非一時的実体的媒体上で提供及び／若しくは記憶されてもよい。
【００５５】
図１に示される遠位端アセンブリ４０の構成は、あくまで概念を明確化するという目的で選択された例示的構成である。代替的な実施形態では、他の任意の好適な構成を用いることもできる。例えば、遠位端アセンブリ４０のサイズ及び形状、並びに微小電極６２及び各フィルタの数及び位置は、患者２８の任意の臓器の組織に好適な医療処置を行うのに適した、任意の好適な構成要素及びレイアウトを使用して実装されてもよい。更に、遠位端装置の実装に使用されるフレキシブル基板は、ＰＣＢ以外の、他の任意の好適な基板を含み得る。
【００５６】
カテーテル遠位端へのフィルタの一体化
図２は、本発明の一実施形態による、フレキシブル基板４８の概略描写図である。いくつかの実施形態において、基板４８は、単一ユニットの遠位端アセンブリ４０を製造するのに使用され得る単一セクションを備える。他の実施形態において、基板４８は、複数のそれぞれのユニットの遠位端アセンブリ４０を製造するのに使用される、１つ以上の実質的に同様のセクション（図示せず）を備えてもよい。
【００５７】
いくつかの実施形態において、基板４８の各セクションは、ＰＣＢシート６０と、カバー６６と、上述の図１に示されるアセンブリ４０の他の全ての要素と、を備える。これらの実施形態は、複数のセクションを同時に製造するための、上述の図１を参照して説明した超大規模集積（ＶＬＳＩ）プロセスの１セットを基板４８上に適用することにより、アセンブリ４０の大量製造（ＨＶＭ）を可能にする。
【００５８】
いくつかの実施形態において、ＶＬＳＩプロセスは、物理気相成長法（ＰＶＤ）など、任意の好適なプロセスを使用して、ＰＣＢシート６０の外面上の選択された箇所に、１つ以上の導電層を堆積させることを含み得る。堆積された導電層は、例えば、リソグラフィ及びエッチングなどのパターン化プロセスを使用して、ＰＣＢシート６０及びドームカバー６６上に一体化された種々の構成要素を形成するように成形される。
【００５９】
セクションの製造終了後、基板４８を切断し、各セクションがその付近のセクションから分離されるようにする。図２の例において、基板４８は、単一の単体化セクションを備える。
【００６０】
いくつかの実施形態において、ＰＣＢシート６０は、典型的には、導電性トレース５２などの電気的相互接続部を備え、これらは、基板４８に連結された電子機器を、カテーテルを横切る好適なワイヤに電気的に接続し、かつカテーテル２２の近位端と電極６２との間を電気的に接続するように構成されている。
【００６１】
いくつかの実施形態において、１つ以上のフィルタ７０は、それぞれの微小電極６２に隣接して、ＰＣＢシート６０上にプリントされる。いくつかの実施形態において、フィルタ７０は、所定の周波数範囲（例えば、５８ＭＨｚ〜７０ＭＨｚ）内の干渉信号をフィルタ除去するように構成される。一実施形態において、フィルタ７０は、以下の図３に詳細に示されるＬＣ回路構成において、並列に相互接続されたインダクタＬと、コンデンサＣと、を備えてもよい。本実施形態において、ＬＣ回路は、約６４ＭＨｚを中心とする高インピーダンス信号のバンドストップフィルタとして機能し得る。
【００６２】
他の実施形態において、フィルタ７０は、本質的には有用な周波数範囲全体に亘って、干渉信号を均一に減衰する。一実施形態において、フィルタ７０は、電極６２とトレース５２とに連結されたレジスタＲを備えてもよい。本実施形態において、レジスタＲは、トレース５２上で伝導される、ピコアンペア（ｐＡ）電流などの低い電流を除く、全ての周波数の電流を減衰するように構成される。高電流を低減することで、（例えば、画像４４上の）ＭＲＩスキャンでの画像アーチファクト、及びカテーテル２２に沿った望ましくない加熱を低減する。
【００６３】
干渉信号は、ＭＲＩシステム３８によって生成され、微小電極６２とカテーテル２２の近位端との間で交換される電気信号に生じ得る干渉を低減、又は更にはキャンセルするように、フィルタ除去される。
【００６４】
ＭＲＩシステム３８又は他の任意の発生源からの干渉信号は、システム２０の種々の構成要素の意図される動作に干渉することもあり、典型的には、トレース５２によって、血液又は組織から、微小電極６２、引いてはカテーテル内に伝導されることに留意されたい。
【００６５】
いくつかの実施形態において、各フィルタ７０は、微小電極６２に物理的に連結され、フィルタ７０が、トレース５２を介して、さもなければ微小電極６２とカテーテル２２の近位端との間で伝導したであろう所定の周波数範囲（例えば、５８ＭＨｚ〜７０ＭＨｚ）内の任意の干渉信号を遮断するか、又は十分に減衰するように構成されるようにする。
【００６６】
いくつかの実施形態において、フィルタ８２は、リング電極８０に隣接して、ＰＣＢシート６０上にプリントされる。フィルタ８２は、リング電極８０によって感知されるＥＣＧ信号からのノイズレベルを低減するように、所定の周波数範囲（例えば、５８ＭＨｚ〜７０ＭＨｚ）内の干渉信号をフィルタ除去するように構成される。いくつかの実施形態において、フィルタ８２は、微小電極６２のフィルタ７０と同様の構造を有してもよい。代替的な実施形態において、フィルタ８２は、他の任意の好適な構造を有してもよい。
【００６７】
原理上、カテーテル２２の近位端、例えば、マニピュレータ３２において、所定の周波数範囲のフィルタを実装することにより、干渉信号を遮断することができる。しかしながら、この構成は、カテーテルの長さにわたるワイヤに誘発される加熱を排除するものでなく、関連の画像アーチファクトに対処するものでもない。したがって、干渉信号を遮断するようにフィルタを堆積するための望ましい位置は、可能な限り、遠位端アセンブリ４０のそれぞれの電極（例えば、電極６２及び８０）に近い位置である。
【００６８】
いくつかの実施形態において、微小電極６２は、例えば、０．０１ｍＶ〜１ｍＶほどで、患者２８の心臓からの低電圧電気信号を感知するのに使用されてもよい。これらの実施形態において、第１の種類のフィルタ７０は、ＭＲＩシステム３８からの干渉信号をフィルタ処理するのに好適である。他の実施形態において、電極は、５０ｍＡ〜５Ａなどの高電流の電気信号を使用して、例えば、心臓組織にアブレーションを印加するように構成される。
【００６９】
これらの実施形態において、第１の種類とは異なる第２の種類のフィルタ７０が、干渉信号のフィルタ処理に好適である。第１及び第２の種類のフィルタを採用する実施形態が、以下の図３及び図４に詳細に示されている。
【００７０】
代替的な実施形態において、電極６２は、任意の周波数範囲の干渉信号の存在下で、患者２８の任意の臓器に／その臓器から、他の任意の種類の電気信号を伝導してもよい。
【００７１】
これらの実施形態において、システム２０は、電気信号の各種類毎に、それぞれの周波数範囲を有する干渉信号を遮断するのに好適な異なる種類のフィルタを必要とし得る。
【００７２】
一実施形態において、シート６０及びカバー６６が平面位置にあるとき、以下の図５に示されるとおり、部材６９及びリング形のドーム支持体を包み込む前に、灌注孔６４がシート６０及び／又はドームカバー６６に形成される。
【００７３】
いくつかの実施形態において、シート６０は、以下の図５に示されるとおり、シート６０が部材６９を包み込むとき、シート６０の縁部を互いに接続し、ＰＣＢシート６０とカバー６６との間を接続するように構成されたセクション５４を備える。
【００７４】
いくつかの実施形態において、カバー６６は、複数のタブ５１を備え、各々、カバー６６のそれぞれのセクション５３から延在し、ドームカバー６６とシート６０のセクション５４との間を連結するように構成されている。
【００７５】
いくつかの実施形態において、セクション５４及びタブ５１の一部は、シート６０及びカバー６６が部材６９を包み込んだ位置にあるときに灌注孔６４と重ならないように、タブ５１の一部に作製される除外ゾーン要素５７を備える。
【００７６】
代替的な実施形態において、包み込んだ後、シート６０の左縁部及び右縁部は、溶着、接着剤、又はシート６０及びカバー６６を部材６９に連結する他の任意の好適な技術を使用して、互いに連結されてもよい。
【００７７】
いくつかの実施形態において、以下の図５に詳細に示されるとおり、ＶＬＳＩプロセスの終了後、シート６０及びカバー６６で部材６９及びアセンブリ４０の頂部上それぞれを包み込む前の、セクション４８のシート６０及びカバー６６が平面形態で示されている。
【００７８】
図３は、本発明の一実施形態による、ＰＣＢシート６０上に形成されたフィルタ７２及びアブレーション電極６３の概略描写図である。フィルタ７２及びアブレーション電極６３は、それぞれ、例えば、上述の図２のフィルタ７０及び電極６２と交換されてもよい。
【００７９】
他の実施形態において、電極６３及びフィルタ７２は、ＰＣＢシート６０上に形成されるのに加えて、又はＰＣＢシート６０上に形成される代わりに、カバー６６に形成されてもよい。
【００８０】
以下に示すプロセスは、シート６０及び／又はカバー６６に電極６３及びフィルタ７２を製造するのに好適である。
【００８１】
いくつかの実施形態において、電極６３は、電流を送達し、カテーテル２２の近位端から患者２８の心臓組織にアブレーション信号を伝導するように構成される。いくつかの実施形態において、フィルタ７２は、患者の組織にアブレーションを行うために、例えば、カテーテル２２の近位端から電極６３に、アブレーション信号を通過させるように構成される。
【００８２】
一実施形態において、フィルタ７２は、並列に接続されたインダクタＬ及びコンデンサＣを備えた並列ＬＣ回路を備える。図３の例において、上述の図２におけるフィルタ７０の相互接続構成と同様に、フィルタ７２の一方の端子がトレース５２に接続され、フィルタの他方の端子が電極６３に連結されている。
【００８３】
いくつかの実施形態において、インダクタＬ及びコンデンサＣは、ＰＶＤプロセス又は他の任意の好適なプロセスを使用して、ＰＣＢシート６０上に堆積された、好ましくは金又は銅の電気トレースの１つ以上の導電層から作製される。導電層は、例えば、リソグラフィ及びエッチングのプロセスを使用して、フィルタ７２を備えた構成要素を形成するのに好適な形状に堆積される。
【００８４】
いくつかの実施形態において、フィルタ７２のインダクタＬ及びコンデンサＣは、トレース５２及び電極６３など、ＰＣＢシート６０の他の構成要素のパターン化するように構成された単一のマスクを使用して、パターン化されてもよい。
【００８５】
他の実施形態において、フィルタ７２は、別個のリソグラフィマスク及びパターン化プロセスを使用するなど、他の任意の好適な堆積シーケンス及びパターン化プロセスを使用して形成されてもよい。
【００８６】
いくつかの実施形態において、フィルタ７２は、所定の周波数範囲内の信号を、カテーテルの加熱及び画像アーチファクトを生じるトレース５２上での連結からフィルタ処理するよう構成される。これらの実施形態において、干渉信号の周波数は、１．５ＴのＭＲＩシステム３８によって生成される６４ＭＨｚの周波数を含む。磁場強度が異なる場合、対応するラーモア周波数が使用されることとなる。
【００８７】
いくつかの実施形態において、フィルタ７２の構成は、信号を、５０ｍＡ〜５Ａの典型的な電流値及び５０ｋＨｚ〜２５ＭＨｚの周波数範囲を有するアブレーション信号との干渉からフィルタ処理するのに好適である。
【００８８】
小さな値のインダクタンス（例えば、１ｎＨ〜１０００ｎＨ）及びキャパシタンス（例えば、５ｐＦ〜５０００ｐＦ）であっても、フィルタ７２のインダクタＬ及びコンデンサＣがＭＲＩシステム３８からの干渉信号を減衰するのに十分であることに留意されたい。
【００８９】
他の実施形態において、基板４８上に形成された任意の種類の電極と適合するフィルタを形成するために、１つ以上のインダクタＬ及び／若しくはコンデンサＣ並びに／又はその他の構成要素の他の任意の好適な構成が配置されてもよい。更に、フィルタ７２（例えば、コンデンサＣ）の各構成要素は、任意の好適な値を有してもよい。
【００９０】
図４は、本発明の一実施形態による、ＰＣＢシート６０に形成されたフィルタ７４及び微小電極６５の概略描写図である。
【００９１】
フィルタ７４及び微小電極６５は、それぞれ、例えば、上述の図２のフィルタ７０及び微小電極６２と交換されてもよい。いくつかの実施形態において、フィルタ７４は、電極６５及びトレース５２に連結されたレジスタＲを備える。
【００９２】
いくつかの実施形態において、微小電極６５は、患者２８の心臓の組織から電気信号を感知するように構成された非導電電極である。システム２０の例において、微小電極６５によって感知された電気信号は、１ｐＡ〜１μＡの電流範囲と、０．０１〜１０００Ｈｚの周波数範囲と、を有する。
【００９３】
いくつかの実施形態において、フィルタ７４は、所定の周波数範囲を、微小電極６５によって感知された心臓組織の電気信号との干渉からフィルタ処理するよう構成される。いくつかの実施形態において、フィルタ７４は、微小電極６５によって感知され、トレース５２を介してプロセッサ３４に伝導される、心臓組織の電気信号を通過させるように更に構成される。
【００９４】
なお、各フィルタ７４は、上述の干渉信号をフィルタ処理するように、それぞれの微小電極６５に近接して（例えば、数ミリメートル又は更には物理的に連結されて）形成されることに留意されたい。干渉信号は、ＭＲＩシステム３８又は他の任意の発生源によって生成されてもよい。
【００９５】
いくつかの実施形態において、レジスタＲは、トレース５２と微小電極６５との間に好適な抵抗層をパターン化することによって形成される。例えば、レジスタＲは、微小電極６５に近接して幅が狭くなるように、トレース５２のセクションの幅を成形することによって形成されてもよい。この構成では、より幅の薄いトレース５２のセクションが、トレース５２の他のセクションに比して高い抵抗を有し得るため、干渉信号が微小電極６５によって感知された心臓信号と干渉するのを減衰するか、又は完全に遮断し得る。
【００９６】
他の実施形態において、レジスタＲは、ニクロム（ニッケル及びクロムを含む合金）、コンスタンタン（銅及びニッケルを含む合金）、チタン、又は他の任意の好適な材料など、トレース５２の材料に比して高い固有抵抗を有する、トレース５２を作製した材料とは別の材料で、作製されてもよい。
【００９７】
他の実施形態において、レジスタＲは、材料の厚さがより薄い特徴をなすように、導電性のより低い材料を堆積させるか、又はより薄い材料層を残す材料を選択的に除外することにより、作製されてもよい。
【００９８】
他の実施形態において、レジスタＲの所望の提供を提供するように、上述の技術を任意に好適に組み合わせて適用してもよい。例えば、固有抵抗の高い材料から、狭く薄い特徴を形成してもよい。
【００９９】
上述の図３及び図４に示されるフィルタ７２及び７４の構成は、単に例として示されている。代替的な実施形態において、遠位端アセンブリ４０の基板４８は、干渉信号の任意の所定の周波数範囲をフィルタ処理するのに好適な、任意の他の種類及び構成のフィルタを備えてもよい。このようなフィルタの特性は、このような構成要素（例えば、ＲＬＣ又はＲＣ回路の組み合わせ）の種類及び配置と、フィルタの各構成要素の特性とによって定義される。
【０１００】
図５は、本発明の一実施形態による、遠位端アセンブリ４０の概略分解描写図である。図５は、上述の図２に示されるシート６０及びカバー６６の反対側の表面を示している。
【０１０１】
いくつかの実施形態において、遠位端アセンブリ４０の内部部材６９は、プラスチック、又は他の任意の好適な材料で作製されてもよい。部材６９は、図５に示されるような骨格支持構造、又は他の任意の好適な構造を有してもよい。
【０１０２】
基部５８は部材６９の近位端に位置し、リング形のドーム支持体６８は部材６９の頂部に位置し、複数のリブ５６が、基部とドーム支持体とをつないでいる。本実施形態において、部材６９は、フレキシブルＰＣＢシート６０により形成された空洞の内側に灌注を導くための内部管腔を有する。
【０１０３】
いくつかの実施形態において、ドームカバー６６は、ドーム支持体６８に糊付けされるか、又は上述の図２に示される構成を使用して、これに連結されてもよい。代替的な実施形態では、カバー６６は液晶ポリマー（ＬＣＰ）ＰＣＢで製造することができ、これは、形成（例えば熱成形）してカップ形状にし、シート６０に接着することができる。カップ形状は、当該技術分野で公知の任意の好適な接着技法を使用して、ドーム支持体６８と、基部５８に接着されたシート６０と、に接着することができる。
【０１０４】
いくつかの実施形態において、シート６０及びカバー６６は、ＰＣＢの単一の連続片、又は任意の他の好適なフレキシブル基板で製造される。代替的な実施形態では、シート６０及びカバー６６は、別個の材料片から形成することができ、これらは溶接又は任意の他の好適な連結技法を用いて互いに連結することができる。
【０１０５】
図６は、本発明の一実施形態による、遠位端アセンブリ４０を製造するための方法を模式的に示すフローチャートである。この方法は、第１の堆積ステップ１００において、フレキシブル基板４８の第１の選択位置上に、第１の導電層を堆積させることにより開始する。
【０１０６】
第２の堆積ステップ１０２では、第１の選択位置に隣接する第２の選択位置においてフレキシブル基板４８上に、第２の導電層を堆積させる。いくつかの実施形態において、第１及び第２の導電層は、金、又は他の任意の好適な材料など、同一の材料で作製される。
【０１０７】
これらの実施形態において、第１及び第２の導電層は、同時に堆積されてもよく、そのためステップ１００及び１０２が単一の堆積ステップとして実施される。他の実施形態において、第１及び第２の導電層は、それぞれ異なる材料で作製され、典型的には、異なるプロセスステップで堆積される。
【０１０８】
いくつかの実施形態において、第１の導電層は、基板４８の全面に亘って堆積され、続いて、フレキシブル基板４８の第１の選択位置上にある第１の導電層の部分のみを保持するように、パターン化される。同様に、第２の導電層は、基板４８の全面に亘って堆積され、続いて、フレキシブル基板４８の第２の選択位置上にある第２の導電層の部分のみを保持するように、パターン化されてもよい。
【０１０９】
ステップ１０２の終了後、第１及び第２の導電層は、互いに隣接して、典型的には、互いに物理的に接触して、堆積される。
【０１１０】
パターン化ステップ１０４では、第１の導電層が、微小電極６２などの電極を形成するように成形され、第２の導電層が、フィルタ７０などのフィルタを形成するように成形される。一実施形態において、第１及び第２の導電層の成形は、単一のパターン化プロセスを使用して実施される。
【０１１１】
この実施形態において、パターン化プロセスは、微小電極６２及びフィルタ７０の形状を画定する単一のマスクを使用し、続いて、マスクによって画定された形状を転写するように構成された１つ以上のエッチングステップを含み得る。
【０１１２】
代替的な実施形態において、ステップ１００、１０２、及び１０４に記載したプロセスシーケンスは、第１の導電層を堆積させ、第１のマスクを使用して微小電極６２の形状をパターン化することと、続いて、第２の導電層を堆積させ、第２のマスクを使用してフィルタ７０の形状をパターン化することと、を含んでもよい。
【０１１３】
上述のステップ１００、１０２、及び１０４におけるプロセスの説明は、明確にするために簡易化されており、これらの例示的ステップは、単に例として示されている。代替的な実施形態において、他の任意の好適なプロセスを使用して、微小電極６２及びフィルタ７０を、互いに隣接して、又は互いに連結して製造してもよい。
【０１１４】
いくつかの実施形態において、第１及び第２の導電層のうちの少なくとも一方は、各導電層が少なくとも２種類のサブレイヤーから作製された、多層構造を備えてもよい。
【０１１５】
先端形成ステップ１０６では、上述の図２及び図５に示される技法のうちの１つを使用して、基板４８が部材６９に連結される。遠位端アセンブリ４０の例において、フレキシブルＰＣＢシート６０が基部５８及びリブ５６を包み込み、ドームカバー６６がドーム支持体６８を包み込む。いくつかの実施形態において、ステップ１０６にて、当該方法は終了し、遠位端アセンブリ４０の形成が可能となる。
【０１１６】
本明細書に記載の実施形態は、主として心不整脈のマッピング及び処置に対処するものであるが、本明細書に記載の方法及びシステムは、耳鼻咽喉科又は神経科における処置など、他の用途で用いることもできる。
【０１１７】
したがって、上記に述べた実施形態は、例として引用したものであり、また本発明は、上文に具体的に示し説明したものに限定されないことが理解されよう。むしろ本発明の範囲は、上述の様々な特徴の組み合わせ及びその一部の組み合わせの両方、並びに上述の説明を読むことで当業者により想到されるであろう、また従来技術において開示されていないそれらの変形及び修正を含むものである。参照により本特許出願に援用される文献は、これらの援用文献においていずれかの用語が本明細書において明示的又は暗示的になされた定義と矛盾して定義されている場合には、本明細書における定義のみを考慮するものとする点を除き、本出願の一部とみなすものとする。
【０１１８】
〔実施の態様〕
（１）  医療用装置の遠位端アセンブリであって、
フレキシブル基板であって、挿入管の遠位端に連結されるように構成されている、フレキシブル基板と、
導電体であって、前記フレキシブル基板上に配設され、
（ｉ）１つ以上の電極であって、前記医療用装置の近位端と電気信号を交換するように構成されている、１つ以上の電極と、
（ｉｉ）少なくとも１つのレジスタを形成するように成形された１つ以上のプリントフィルタであって、前記電極のうちの少なくとも１つに隣接して配設され、前記電極のうちの前記少なくとも１つと前記近位端との間で交換される前記電気信号から、所定の周波数範囲内の信号をフィルタ処理するように構成されている、１つ以上のプリントフィルタと、
を形成するように成形されている、導電体と、を備える、遠位端アセンブリ。
（２）  前記所定の周波数範囲は、無線周波数（ＲＦ）の周波数範囲の少なくとも一部を含む、実施態様１に記載の遠位端アセンブリ。
（３）  前記所定の周波数範囲内でフィルタ処理された前記信号は、磁気共鳴映像法（ＭＲＩ）システムによって発せられる、実施態様１に記載の遠位端アセンブリ。
（４）  前記フレキシブル基板は、フレキシブルプリント回路基板（ＰＣＢ）を含む、実施態様１に記載の遠位端アセンブリ。
（５）  前記フレキシブル基板は、前記挿入管の前記遠位端を包み込むように構成されている、実施態様１に記載の遠位端アセンブリ。
【０１１９】
（６）  前記プリントフィルタのうちの１つ以上は、前記電極のうちの少なくとも１つに連結されている、実施態様１に記載の遠位端アセンブリ。
（７）  前記プリントフィルタのうちの少なくとも１つは、患者の組織から、前記電極のうちの少なくとも１つにより感知された電気信号を通過させるように構成されている、実施態様１に記載の遠位端アセンブリ。
（８）  前記プリントフィルタのうちの少なくとも１つは、患者の組織に印加されるアブレーション信号を通過させるように構成されている、実施態様１に記載の遠位端アセンブリ。
（９）  前記所定の周波数範囲は、５８ＭＨｚ〜７０ＭＨｚを含む、実施態様１に記載の遠位端アセンブリ。
（１０）  前記１つ以上のプリントフィルタは、ニッケル及びクロムを含む合金、銅及びニッケルを含む合金、並びにチタンからなるリストから選択される１つ以上の材料で作製されている、実施態様１に記載の遠位端アセンブリ。
【０１２０】
（１１）  前記プリントフィルタのうちの少なくとも１つは、前記医療用装置内での加熱、前記医療用装置を使用して取得された画像中のアーチファクト、及びフィルタ処理された前記信号の、前記電極のうちの前記少なくとも１つと前記近位端との間で交換される前記電気信号との干渉、のうちの１つ以上を低減するように構成されている、実施態様１に記載の遠位端アセンブリ。
（１２）  医療用装置の遠位端アセンブリを製造する方法であって、
前記医療用装置の近位端と電気信号を交換するための１つ以上の電極を形成するように成形された第１の導電体を、フレキシブル基板上に配設することと、
前記電極のうちの少なくとも１つと前記近位端との間で交換される前記電気信号から、所定の周波数範囲内の信号をフィルタ処理するように設計された少なくとも１つのレジスタを備える１つ以上のプリントフィルタを形成するように成形された１つ以上の第２の導電体を、前記電極のうちの前記少なくとも１つに隣接して配設することと、
前記フレキシブル基板を、挿入管の遠位端に連結することと、を含む、方法。
（１３）  前記所定の周波数範囲は、無線周波数（ＲＦ）の周波数範囲の少なくとも一部を含む、実施態様１２に記載の方法。
（１４）  前記所定の周波数範囲内でフィルタ処理された前記信号は、磁気共鳴映像法（ＭＲＩ）システムによって発せられる、実施態様１２に記載の方法。
（１５）  前記フレキシブル基板上に配設することは、フレキシブルプリント回路基板（ＰＣＢ）上に配設することを含む、実施態様１２に記載の方法。
【０１２１】
（１６）  前記フレキシブル基板を連結することは、前記フレキシブル基板で前記挿入管の前記遠位端を包み込むことを含む、実施態様１２に記載の方法。
（１７）  前記１つ以上の第２の電気トレースを配設することは、前記プリントフィルタのうちの１つ以上を、前記電極のうちの少なくとも１つに連結することを含む、実施態様１２に記載の方法。
（１８）  前記プリントフィルタのうちの少なくとも１つは、患者の組織から、前記電極のうちの少なくとも１つにより感知された電気信号を通過させる応答を有する、実施態様１２に記載の方法。
（１９）  前記所定の周波数範囲は、５８ＭＨｚ〜７０ＭＨｚを含む、実施態様１２に記載の方法。
（２０）  前記第２の導電体を配設することは、前記医療用装置内での加熱、前記医療用装置を使用して取得された画像中のアーチファクト、及びフィルタ処理された前記信号の、前記電極のうちの前記少なくとも１つと前記近位端との間で交換される前記電気信号との干渉、のうちの１つ以上を低減することを含む、実施態様１２に記載の方法。
【図１】
2021500962.tif 000003
【図２】
2021500962.tif 000004
【図３】
2021500962.tif 000005
【図４】
2021500962.tif 000006
【図５】
2021500962.tif 000007
【図６】
2021500962.tif 000008
【国際調査報告】
2021500962.tif 000009
2021500962.tif 000010
2021500962.tif 000011